(57)【要約】【課題】  コンピュータおよび電子的ネットワークを利用した情報の発信は、インターネットの普及とともに拡大しているが、発信する情報のフォーマットを定義しているものは少なく、情報発信側が独自に定義したフォーマットを情報受信側がそれぞれ開発しているのが実情である。【解決手段】  情報発信側のフォーマットの統一化を行い、情報受信側は同フォーマットに対するシステム開発を行うことで、情報発信側ごとのシステム開発がなくなり、また多くの情報発信者の情報を一律に取り扱うことが可能となる。また、情報発信側も本フォーマットで情報を発信することにより、本フォーマットに準拠したシステムやメディアに対し、すぐに情報を提供することが可能となり、情報の普及を図ることが可能となる。【選択図】図２
2010009562.tif 000002
【特許請求の範囲】
【請求項１】
電子的に情報を発信する際に情報発信側のテキスト情報を格納したテキスト形式のファイルフォーマットについて定義を行い、情報利用側が情報発信側のフォーマットごとにシステム開発を行うことがないようにし、情報発信側も定義されたフォーマットに従い情報発信することにより、情報利用側が提供する様々なシステムおよびメディアにおいて情報が利用可能となるようにする
【請求項２】
電子的に情報を発信する際に情報発信側のテキスト情報を格納したＸＭＬ形式のファイルフォーマットについて定義を行い、情報利用側が情報発信側のフォーマットごとにシステム開発を行うことがないようにし、情報発信側も定義されたフォーマットに従い情報発信することにより、情報利用側が提供する様々なシステムおよびメディアにおいて情報が利用可能となるようにする
【請求項３】
電子的に情報を発信する際に情報発信側の写真・画像情報および写真・画像情報の説明文を格納したファイルの命名規則について定義し、情報利用側が情報発信側の写真・画像情報および同説明文ごとに処理するシステム開発を行うことがないようにし、情報発信側も定義された命名規則に従い情報発信することにより、情報利用側が提供する様々なシステムおよびメディアにおいて情報が利用可能となるようにする
【請求項４】
電子的に情報を発信する際に情報発信側の写真・画像情報の説明文を格納したＸＭＬ形式のファイルフォーマットについて定義を行い、情報利用側が情報発信側のフォーマットごとにシステム開発を行うことがないようにし、情報発信側も定義されたフォーマットに従い情報発信することにより、情報利用側が提供する様々なシステムおよびメディアにおいて情報が利用可能となるようにする
【発明の詳細な説明】
【技術分野】
【０００１】  本発明は、コンピュータおよび電子的ネットワークを利用した情報発信におけるテキスト情報、写真・画像情報および写真・画像情報説明文の各ファイルのフォーマット定義に関するものである。
【背景技術】
【０００２】  コンピュータおよび電子的ネットワークを利用した情報の発信は、インターネットの普及とともに拡大しているが、発信する情報のフォーマットを定義しているものは少なく、情報発信側が独自に定義したフォーマットについて情報を取り込むためのシステム開発をそれぞれ行っているのが実情である。
【発明の開示】
【発明が解決しようとする課題】
【０００３】  以上に述べたように、発信する情報のフォーマットが定義されているものが少なく、情報受信側は、情報発信側が独自に定義したフォーマットについて情報を取り込むためのシステム開発をそれぞれ行っている。【０００４】  本発明は、このような情報発信側が独自に定義したフォーマットごとにシステム開発を伴う問題を解決しようとするものであり、情報受信側のシステム開発の軽減と情報の普及を目的とするものである。
【課題を解決するための手段】
【０００５】  本発明は、上記目的を達するために「情報発信側のテキスト情報を格納したテキスト形式のファイルフォーマットの定義」、「情報発信側のテキスト情報を格納したＸＭＬ形式のファイルフォーマットの定義」、「情報発信側の写真・画像情報および写真・画像情報の説明文を格納したファイルの命名規則の定義」、「情報発信側の写真・画像情報の説明文を格納したＸＭＬ形式のファイルフォーマットの定義」を行う。
【発明の効果】
【０００６】  本発明により、情報発信側のファイルフォーマットが統一化されるため、情報受信側は同フォーマットに対するシステム開発を行うことで、情報発信側ごとのシステム開発を行う必要がなくなり、また多くの情報発信者の情報を一律に取り扱うことが可能となる。【０００７】  また、情報発信側も本ファイルフォーマットで情報を発信することにより、本ファイルフォーマットに準拠したシステムやメディアに対し、すぐに情報を提供することが可能となり、情報の普及を図ることが可能となる。
【発明を実施するための最良の形態】
【０００８】  本発明は、情報発信側のテキスト情報を格納したテキスト形式のファイルフォーマットの定義」、「情報発信側のテキスト情報を格納したＸＭＬ形式のファイルフォーマットの定義」、「情報発信側の写真・画像情報および写真・画像情報の説明文を格納したファイルの命名規則の定義」、「情報発信側の写真・画像情報の説明文を格納したＸＭＬ形式のファイルフォーマットの定義」に関するものであり、ファイル形式での情報発信を前提としている。インターネットおよび専用線ネットワークを利用してコンピュータシステムに対し、ファイル形式で情報を送受信できる形態において効果が得られるものである。各ネットワークとコンピュータ技術は、日進月歩であるため、ファイル形式で情報を送受信できる形態の方式を規定するものではなく、ファイル形式で情報を送受信できる形態であれば、方式を問わない。【０００９】  本発明は、多くの情報発信者と情報受信者が利用できることが双方の利益となることから、独占的および排他的な運用を取らないことで効果が得られるものである。
【図面の簡単な説明】
【００１０】
【図１】  情報発信側のテキスト情報を格納したテキスト形式のファイルフォーマットの定義
【図２】  情報発信側のテキスト情報を格納したＸＭＬ形式のファイルフォーマットの定義
【図３】  情報発信側の写真・画像情報および写真・画像情報の説明文を格納したファイルの命名規則の定義
【図４】  情報発信側の写真・画像情報の説明文を格納したＸＭＬ形式のファイルフォーマットの定義
【符号の説明】
【００１１】〔図１〕における符号の説明
１０１  テキスト情報を管理するための日付と時刻（ＪＳＴ）
ＪＳＴ：（ＹＹ）ＹＹＭＭＤＤｈｈｍｍ（ｓｓ）
ＹＹＭＭＤＤ：年月日を表す。同年月日と情報番号（記事番号）で情報を管理す        る。
ｈｈｍｍ（ｓｓ）：時刻を表す。秒単位に変化する数値情報などを発信する場合        、秒まで付加する。
１０２  テキスト情報を管理するための日付と時刻（ＧＭＴ）
ＧＭＴ：（ＹＹ）ＹＹＭＭＤＤｈｈｍｍ（ｓｓ）
符号１０１の時刻をグリニッジ平均時で表した年月日および時刻を表す。
１０３  キーワード１〜５
テキスト情報のキーワードを表す。
１０４  システム処理時刻
テキスト情報をシステムで処理した時刻を表す。
１０５  登録種別
テキスト情報の登録種別を表す。
１：新規情報
２：当該情報を差替える
９：当該情報を削除する
１０６  優先度
テキスト情報の優先度を表す。
１：最優先情報
２：優先情報１
３：優先情報２
４：通常
１０７  情報番号（記事番号）
テキスト情報を区別する情報番号を表す。符号番号１０１または１０２の年月日        と同情報番号により情報を管理する
１０８  テキスト情報本文
１０９  テキスト情報の終わり…［ＣＲ／ＬＦ］４個以上連続
〔図２〕における符号の説明
２０１  ｉｔｅｍ  ｎａｍｅ
テキスト情報を管理するための情報番号およびデータナンバーを表す。
ＹＹＭＭＤＤＸＸＸＸＸＮＮＮ
ＹＹＭＭＤＤ：テキスト情報を管理する年月日を表す。
ＸＸＸＸＸＸ：テキスト情報を管理する情報番号を表す。
ＮＮＮ：数値データ情報の場合、同情報のデータナンバーを表す。
２０２  ｉｔｅｍ  ｄａｔｅ
テキスト情報の発生時刻を表す。
（ＹＹ）ＹＹ−ＭＭ−ＤＤＴｈｈ：ｍｍ：ｓｓ
２０３  ｉｔｅｍ  ｇｍｔｄａｔｅ
テキスト情報の発生時刻（ＧＭＴ）を表す。
（ＹＹ）ＹＹ−ＭＭ−ＤＤＴｈｈ：ｍｍ：ｓｓ
２０４  ｉｔｅｍ  ｓｅｑｕｅｎｃｅ
テキスト情報のシーケンス番号を表す。
２０５  ｋｅｙ１〜ｋｅｙ５
テキスト情報のキーワードを表す。テキスト情報の利用許可および分類で利用す        る。
２０６  ｒｅｓｏｕｃｅｄａｔｅ
テキスト情報をシステムで処理した時刻を表す。
２０７  ｃａｔｅｇｏｒｙ
テキスト情報の登録種別を表す。
１：新規情報
２：当該情報を差替える
９：当該情報を削除する
２０８  ｐｒｉｏｒｉｔｙ
テキスト情報の優先度を表す。
１：最優先情報
２：優先情報１
３：優先情報２
４：通常
２０９  ｔｉｔｌｅ
テキスト情報のタイトル（見出し）を表す。
２１０  ａｂｓｔｒａｃｔ
テキスト情報の本文を表す。
〔図３〕における符号の説明
３０１  サムネイル
ファイル名規則は、ｓ＋データ番号．ｊｐｇ。画像サイズは、長辺２００ピクセ        ル。
３０２  プレビュー
ファイル名規則は、ｍ＋データ番号．ｊｐｇ。画像サイズは、長辺４５０ピクセ        ル。
３０３  実画像
ファイル名規則は、データ番号．ｊｐｇ。画像サイズは、長辺２０４８ピクセル        。
３０４  インデックス
ファイル名規則は、データ番号．ｉｄｘ。
〔図４〕における符号の説明
４０１  ＩＤ
データＩＤ：英数字の半角数字（ＸＸＸＸＸ＿ｘｘｘｘｘｘｘｘ）
４０２  ｒｅｌａｔｉｏｎ
関連ファイル情報：インデックスファイルに対するファイル名
４０３  ｓｅｒｖｉｃｅ＿ｄａｔｅ
配信日：ＹＹＭＭＤＤ
４０４  ｒｅｌｅａｓｅ＿ｄａｔｅ
ファイル作成日：ＹＹＭＭＤＤＨＨＭＭＳＳ
４０５  ｓｈｏｔ＿ｄａｔｅ
撮影日：ＹＹＭＭＤＤ  撮影日が存在しないものもある
４０６  ｔｉｔｌｅ
タイトル：文字列（改行コード［ＣＲ／ＬＦ］、［ＣＲ］、［ＬＦ］を含まない        ）
４０７  ｃａｐｔｉｏｎ
キャプション：文字列（改行コード［ＣＲ／ＬＦ］、［ＣＲ］、［ＬＦ］を含む        ）
４０８  ｃｏｎｔｅｎｔ
本文：文字列（改行コード［ＣＲ／ＬＦ］、［ＣＲ］、［ＬＦ］を含む）
４０９  ｃｒｅｄｉｔ
クレジット：（改行コード［ＣＲ／ＬＦ］、［ＣＲ］、［ＬＦ］を含まない）
４１０  ａｕｔｈｏｒ
著作：３バイトコード、カンマ区切りによる複数設定あり
４１１  ｃａｔｅｇｏｒｙ
カテゴリーコード：３バイトコード、カンマ区切りによる複数設定あり
４１２  ｐｒｉｏｒｉｔｙ
優先度：通常＝０、優先＝１〜９
４１３  ｃｏｍｍａｎｄ
コマンド：新規＝ｎｅｗ、差替＝ｒｅｐ、削除＝ｄｅｌ
４１４  ｉｎｅｔ
インターネット使用フラグ：インターネット使用可＝１、インターネット使用不        可＝０
【図１】
2010009562.tif 000003
【図２】
2010009562.tif 000004
【図３】
2010009562.tif 000005
【図４】
2010009562.tif 000006